(57)【要約】【課題】遊技機の機種毎の総合的な評価をするのに好適で、且つ、遊技店の経営者に役立つ遊技機の機種毎の情報を提供するのに好適な遊技機評価システム、評価用端末制御プログラム及び管理端末制御プログラムを提供する。【解決手段】遊技機評価システム１を、遊技店に配設された遊技機の情報を収集管理する管理用端末２と、遊技店内に配設された遊技機３と、評価会社の管理下にある評価用端末４と、各遊技機メーカの管理下にある情報提供用端末５と、前記各端末相互間のデータ通信を可能にするネットワーク６と、を含んだ構成とし、管理用端末から通知される遊技機の機種毎の情報に基づき、評価用端末４において遊技機の機種毎の評価を行い、その評価結果をシステム利用者に提供するようにした。【選択図】　　　図１
2004141208.tif 000002
【特許請求の範囲】
【請求項１】
複数の遊技店にそれぞれ配設され、且つ、遊技機に関する情報を収集管理する管理用端末と前記遊技機の評価を行う評価者の管理下にある評価用端末とを互いにデータ通信可能に備え、
前記管理用端末は、前記遊技店内に配設された遊技機に関する情報を機種毎に収集する遊技機情報収集手段と、当該遊技機情報収集手段によって収集された前記遊技機に関する情報を前記評価用端末に通知する遊技機情報通知手段と、を備え、
前記評価用端末は、前記遊技機情報通知手段によって通知された前記複数の遊技店からの遊技機に関する情報に基づき当該遊技機の機種毎の総合的な評価を行う遊技機評価手段と、当該遊技機評価手段による評価結果をシステム利用者に提供する評価結果提供手段と、を備えることを特徴とする遊技機評価システム。
【請求項２】
複数の遊技店にそれぞれ配設され、且つ、遊技機に関する情報を収集管理する管理用端末と前記遊技機の評価を行う評価者の管理下にある評価用端末と前記遊技機の提供者の管理下にある情報提供用端末とをそれぞれが互いにデータ通信可能に備え、
前記管理用端末は、前記遊技店内に配設された遊技機に関する情報を機種毎に収集する遊技機情報収集手段と、当該遊技機情報収集手段によって収集された前記遊技機に関する情報を前記評価用端末に通知する第１の遊技機情報通知手段と、を備え、
前記評価用端末は、前記第１の遊技機情報通知手段によって通知された前記複数の遊技店からの遊技機に関する情報に基づき当該遊技機の機種毎の総合的な評価を行う遊技機評価手段と、当該遊技機評価手段による評価結果をシステム利用者に提供する評価結果提供手段と、前記情報提供用端末から通知された前記提供者の取り扱う遊技機の情報を提供する遊技機情報提供手段と、を備え、
前記情報提供用端末は、前記提供者の取り扱う遊技機の情報を前記評価用端末に通知する第２の遊技機情報通知手段を備えることを特徴とする遊技機評価システム。
【請求項３】
前記提供者の取り扱う遊技機の情報は、販売する機種の宣伝情報であることを特徴とする請求項２記載の遊技機評価システム。
【請求項４】
前記遊技機に関する情報は、当該遊技機の機種毎の稼働状態に関する情報を含むことを特徴とする請求項１乃至請求項３のいずれか１項に記載の遊技機評価システム。
【請求項５】
前記遊技機に関する情報は、当該遊技機の機種毎の利益に関する情報を含むことを特徴とする請求項１乃至請求項４のいずれか１項に記載の遊技機評価システム。
【請求項６】
前記遊技機に関する情報は、当該遊技機の機種毎の遊技者に関する情報を含むことを特徴とする請求項１乃至請求項５のいずれか１項に記載の遊技機評価システム。
【請求項７】
前記評価結果は、前記遊技機の機種毎の利益に関する評価結果を含むことを特徴とする請求項１乃至請求項６のいずれか１項に記載の遊技機評価システム。
【請求項８】
前記評価結果提供手段は、前記評価結果の一部を特定のシステム利用者専用に提供するようになっていることを特徴とする請求項１乃至請求項７のいずれか１項に記載の遊技機評価システム。
【請求項９】
前記遊技機評価手段は、前記各遊技店毎の前記遊技機の機種毎の評価も行うようになっており、前記評価結果提供手段は、前記遊技店毎の評価結果も提供するようになっていることを特徴とする請求項１乃至請求項８のいずれか１項に記載の遊技機評価システム。
【請求項１０】
請求項１記載の前記評価用端末を制御するためのコンピュータが実行可能なプログラムであって、
前記遊技機情報通知手段によって通知された前記遊技機に関する情報に基づき当該遊技機の機種毎の評価を行う遊技機評価ステップと、当該遊技機評価ステップによる評価結果をシステム利用者に提供する評価結果提供ステップと、を備えることを特徴とする評価用端末制御プログラム。
【請求項１１】
請求項２記載の前記評価用端末を制御するためのコンピュータが実行可能なプログラムであって、
前記第１の遊技機情報通知手段によって通知された前記遊技機に関する情報に基づき当該遊技機の機種毎の評価を行う遊技機評価ステップと、当該遊技機評価ステップによる評価結果をシステム利用者に提供する評価結果提供ステップと、前記情報提供用端末から通知された前記提供者の取り扱う遊技機の情報を提供する遊技機情報提供ステップと、を備えることを特徴とする評価用端末制御プログラム。
【請求項１２】
前記評価結果提供ステップは、前記評価結果の一部を特定のシステム利用者専用に提供するようになっていることを特徴とする請求項１０記載の評価用端末制御プログラム。
【請求項１３】
前記遊技機評価ステップにおいては、前記各遊技店毎の前記遊技機の機種毎の評価も行うようになっており、前記評価結果提供ステップにおいては、前記遊技店毎の評価結果も提供するようになっていることを特徴とする請求項１０乃至請求項１２のいずれか１項に記載の評価用端末制御プログラム。
【請求項１４】
請求項１及び請求項２記載の前記管理用端末を制御するためのコンピュータが実行可能なプログラムであって、
前記遊技店内に配設された遊技機に関する情報を機種毎に収集する遊技機情報収集ステップと、当該遊技機情報収集ステップにおいて収集された前記遊技機に関する情報を前記評価用端末に通知する遊技機情報通知ステップと、を備えることを特徴とする管理用端末制御プログラム。
【発明の詳細な説明】
【０００１】
【発明の属する技術分野】
本発明は、遊技機の評価を行うシステムに係り、特に、複数の遊技店からのこれら各遊技店において稼働する遊技機に関する情報に基づき遊技機の機種毎の総合的な評価を行うのに好適な遊技機評価システムに関する。
【０００２】
【従来の技術】
従来、遊技店において、新規に遊技機を購入する場合には、遊技店の経営者が展示会等に赴きそこでの体験結果に基づいて購入する遊技機の機種を決定したり、同じく経営者が遊技機の専門雑誌や他店舗等の売り上げ実績に基づいて購入する遊技機の機種を決定したりするなど、購入する機種の決定は経営者の判断によることが多い。
【０００３】
また、遊技機メーカが直営する遊技店においては、各店舗の遊技機の情報を収集し、その情報に基づく分析等が行われて、その分析結果を元に購入する遊技機を決定しているような場合もある。
また、遊技店に関する情報や遊技機に関する情報は、専門雑誌等の書籍やインターネット上のＷｅｂページ等において公開されている。
【０００４】
【発明が解決しようとする課題】
しかしながら、上記従来のように、経営者の判断によって購入する機種を決定する際には、経営者の経験などによって、その機種が店の売り上げに貢献するか否かが左右される可能性があり、経営者としては必ず売り上げが期待できるような状態で機種を購入することができないため不安要素を拭い去れないのが現状である。
【０００５】
また、遊技機メーカの直営店による情報は、あくまで直営店だけの情報によって得られる情報であり、且つ、そのメーカの遊技機が主力となっていることが多いため、他メーカの遊技機に対する情報が正確なものとは言い難い。
また、書籍やＷｅｂページ等において公開される遊技機の情報は、主に客である遊技者に向けたものが多く、経営者が欲する情報として含まれていないものが多い。
【０００６】
そこで、本発明は、このような従来の技術の有する未解決の課題に着目してなされたものであって、遊技機の機種毎の総合的な評価をするのに好適で、且つ、遊技店の経営者に役立つ遊技機の機種毎の情報を提供するのに好適な遊技機評価システム、評価用端末制御プログラム及び管理端末制御プログラムを提供することを目的としている。
【０００７】
【課題を解決するための手段】
上記目的を達成するために、本発明に係る請求項１記載の遊技機評価システムは、複数の遊技店にそれぞれ配設され、且つ、遊技機に関する情報を収集管理する管理用端末と前記遊技機の評価を行う評価者の管理下にある評価用端末とを互いにデータ通信可能に備え、
前記管理用端末は、前記遊技店内に配設された遊技機に関する情報を機種毎に収集する遊技機情報収集手段と、当該遊技機情報収集手段によって収集された前記遊技機に関する情報を前記評価用端末に通知する遊技機情報通知手段と、を備え、
前記評価用端末は、前記遊技機情報通知手段によって通知された前記複数の遊技店からの遊技機に関する情報に基づき当該遊技機の機種毎の総合的な評価を行う遊技機評価手段と、当該遊技機評価手段による評価結果をシステム利用者に提供する評価結果提供手段と、を備えることを特徴としている。
【０００８】
このような構成であれば、管理用端末は、遊技機情報収集手段によって、遊技店内に配設された遊技機に関する情報を機種毎に収集することが可能であり、遊技機情報通知手段によって、前記遊技機情報収集手段によって収集された前記遊技機に関する情報を前記評価用端末に通知することが可能であり、評価用端末は、遊技機評価手段によって、前記遊技機情報通知手段によって通知された前記複数の遊技店からの遊技機に関する情報に基づき当該遊技機の機種毎の総合的な評価を行うことが可能であり、評価結果提供手段によって、当該遊技機評価手段による評価結果をシステム利用者に提供することが可能である。
【０００９】
従って、例えば、上記システムにより、メーカの違いを問わず、全国に展開された各遊技店からの遊技機の情報を収集し、これらの情報に基づき遊技機の評価を行うことで、遊技機の機種毎の総合的な評価を行うことが可能となり、遊技店の経営者は、この情報を得ることで新規に購入する遊技機の機種を選定し易くなる。
【００１０】
ここで、遊技店とは、複数のパチンコ遊技機やパチスロ遊技機などの遊技機を店内に配設し、来店客にそれら遊技機を有償で遊技させるサービスを提供するものである。
また、本発明に係る請求項２記載の遊技機評価システムは、複数の遊技店にそれぞれ配設され、且つ、遊技機に関する情報を収集管理する管理用端末と前記遊技機の評価を行う評価者の管理下にある評価用端末と遊技機の提供者の管理下にある情報提供用端末とをそれぞれが互いにデータ通信可能に備え、
前記管理用端末は、前記遊技店内に配設された遊技機に関する情報を機種毎に収集する遊技機情報収集手段と、当該遊技機情報収集手段によって収集された前記遊技機に関する情報を前記評価用端末に通知する第１の遊技機情報通知手段と、を備え、
前記評価用端末は、前記第１の遊技機情報通知手段によって通知された前記複数の遊技店からの遊技機に関する情報に基づき当該遊技機の機種毎の総合的な評価を行う遊技機評価手段と、当該遊技機評価手段による評価結果をシステム利用者に提供する評価結果提供手段と、前記情報提供用端末から通知された前記提供者の取り扱う遊技機の情報を提供する遊技機情報提供手段と、を備え、
前記情報提供用端末は、前記提供者の取り扱う遊技機の情報を前記評価用端末に通知する第２の遊技機情報通知手段を備えることを特徴としている。
【００１１】
このような構成であれば、管理用端末は、遊技機情報収集手段によって、遊技店内に配設された遊技機に関する情報を機種毎に収集することが可能であり、第１の遊技機情報通知手段によって、前記遊技機情報収集手段によって収集された前記遊技機に関する情報を前記評価用端末に通知することが可能であり、評価用端末は、遊技機評価手段によって、前記第１の遊技機情報通知手段によって通知された前記複数の遊技店からの遊技機に関する情報に基づき当該遊技機の機種毎の総合的な評価を行うことが可能であり、評価結果提供手段によって、当該遊技機評価手段による評価結果をシステム利用者に提供することが可能であり、遊技機情報提供手段によって、情報提供用端末から通知された前記提供者の取り扱う遊技機の情報を提供することが可能であり、情報提供用端末は、第２の遊技機情報通知手段によって、提供者の取り扱う遊技機の情報を前記評価用端末に通知することが可能である。
【００１２】
従って、例えば、上記システムにより、メーカの違いを問わず、全国に展開された各遊技店からの遊技機の情報を収集し、これらの情報に基づき遊技機の評価を行うことで、遊技機の機種毎の総合的な評価を行うことが可能となり、遊技店の経営者は、この情報を得ることで購入する遊技機の機種を選定し易くなる。更に、遊技機の提供者である各遊技機メーカからの新台情報やメンテナンス情報等も取得できるので、これらの情報も遊技店の経営に役立たせることが可能となる。
【００１３】
また、請求項３に係る発明は、請求項２記載の遊技機評価システムにおいて、前記提供者の取り扱う遊技機の情報は、販売する機種の宣伝情報であることを特徴としている。
従って、メーカ側も評価情報を入手し、この情報に基づき作成した製品の宣伝情報を、評価用端末からシステム利用者に提供することで、メーカ側は製品の売上向上を図ることが可能となる。
【００１４】
また、請求項４に係る発明は、請求項１乃至請求項３のいずれか１項に記載の遊技機評価システムにおいて、前記遊技機に関する情報は、当該遊技機の機種毎の稼働状態に関する情報を含むことを特徴としている。
また、請求項５に係る発明は、請求項１乃至請求項４のいずれか１項に記載の遊技機評価システムにおいて、前記遊技機に関する情報は、当該遊技機の機種毎の利益に関する情報を含むことを特徴としている。
【００１５】
つまり、遊技機に関する情報として、各設定による平均台売上、週単位経営情報（割数・台粗利）、赤字設定などの遊技機の利益に関する情報を含むものである。
また、請求項６に係る発明は、請求項１乃至請求項５のいずれか１項に記載の遊技機評価システムにおいて、前記遊技機に関する情報は、当該遊技機の機種毎の遊技者に関する情報を含むことを特徴としている。
【００１６】
また、請求項７に係る発明は、請求項１乃至請求項６のいずれか１項に記載の遊技機評価システムにおいて、前記評価結果は、前記遊技機の機種毎の利益に関する評価結果を含むことを特徴としている。
また、請求項８に係る発明は、請求項１乃至請求項７のいずれか１項に記載の遊技機評価システムにおいて、前記評価結果提供手段は、前記評価結果の一部を特定のシステム利用者専用に提供するようになっていることを特徴としている。
【００１７】
また、請求項９に係る発明は、請求項１乃至請求項８のいずれか１項に記載の遊技機評価システムにおいて、前記遊技機評価手段は、前記各遊技店毎の前記遊技機の機種毎の評価も行うようになっており、前記評価結果提供手段は、前記遊技店毎の評価結果も提供するようになっていることを特徴としている。
また、本発明に係る請求項１０記載の評価用端末制御プログラムは、請求項１記載の前記評価用端末を制御するためのコンピュータが実行可能なプログラムであって、
前記遊技機情報通知手段によって通知された前記遊技機に関する情報に基づき当該遊技機の機種毎の評価を行う遊技機評価ステップと、当該遊技機評価ステップによる評価結果をシステム利用者に提供する評価結果提供ステップと、を備えることを特徴とする評価用端末制御プログラム。
【００１８】
ここで、本発明は、請求項１記載の評価用端末を制御するためのプログラムであり、その効果は同様であるので記載を省略する。
また、本発明に係る請求項１１記載の評価用端末制御プログラムは、請求項２記載の前記評価用端末を制御するためのコンピュータが実行可能なプログラムであって、
前記第１の遊技機情報通知手段によって通知された前記遊技機に関する情報に基づき当該遊技機の機種毎の評価を行う遊技機評価ステップと、当該遊技機評価ステップによる評価結果をシステム利用者に提供する評価結果提供ステップと、前記情報提供用端末から通知された前記提供者の取り扱う遊技機の情報を提供する遊技機情報提供ステップと、を備えることを特徴としている。
【００１９】
ここで、本発明は、請求項２記載の評価用端末を制御するためのプログラムであり、その効果は同様であるので記載を省略する。
また、請求項１２に係る発明は、請求項１０又は請求項１１記載の評価用端末制御プログラムにおいて、前記評価結果提供ステップは、前記評価結果の一部を特定のシステム利用者専用に提供するようになっていることを特徴としている。
【００２０】
ここで、本発明は、請求項８記載の評価用端末を制御するためのプログラムであり、その効果は同様であるので記載を省略する。
また、請求項１３に係る発明は、請求項１０乃至請求項１２のいずれか１項に記載の評価用端末制御プログラムにおいて、前記遊技機評価ステップにおいては、前記各遊技店毎の前記遊技機の機種毎の評価も行うようになっており、前記評価結果提供ステップにおいては、前記遊技店毎の評価結果も提供するようになっていることを特徴としている。
【００２１】
ここで、本発明は、請求項９記載の評価用端末を制御するためのプログラムであり、その効果は同様であるので記載を省略する。
また、本発明に係る請求項１４記載の管理用端末制御プログラムは、請求項１及び請求項２記載の前記管理用端末を制御するためのコンピュータが実行可能なプログラムであって、
前記遊技店内に配設された遊技機に関する情報を機種毎に収集する遊技機情報収集ステップと、当該遊技機情報収集ステップにおいて収集された前記遊技機に関する情報を前記評価用端末に通知する遊技機情報通知ステップと、を備えることを特徴としている。
ここで、本発明は、請求項１及び請求項２記載の管理用端末を制御するためのプログラムであり、その効果は同様であるので記載を省略する。
【００２２】
【発明の実施の形態】
以下、本発明の実施の形態を図面に基づき説明する。図１乃至図３は、本発明に係る遊技機評価システムの実施の形態を示す図である。
まず、本発明に係る遊技機評価システムの構成を図１に基づき説明する。図１は、本発明に係る遊技機評価システムの構成を示すブロック図である。
【００２３】
遊技機評価システム１は、遊技店に配設された遊技機の情報を収集管理する管理用端末２と、遊技機３と、評価会社の管理下にある評価用端末４と、遊技機の提供者の管理下にある情報提供用端末５と、前記各端末相互間のデータ通信を可能にするネットワーク６と、を含んだ構成となっている。
管理用端末２は、遊技機３からの情報や、その他、人手によって入力される遊技機に関する情報を収集管理する遊技情報収集部２ａと、当該遊技情報袖手部２ａにおいて収集された遊技機に関する情報に基づき通知用の遊技機情報データを生成し、それを評価用端末４に伝送するための処理を行う遊技機情報通知部２ｂと、通知用の遊技機情報データを評価用端末４にネットワーク６を介して伝送したり、その他にもネットワーク６を介して様々なデータの送受信を行うデータ送受信部２ｃと、を含んだ構成となっている。ここで、図には管理用端末２が１台しか示されていないが、実際は、本システム１において遊技店は多数存在しており、それぞれの管理下にある複数の管理用端末がネットワーク６を介して接続される。
【００２４】
遊技機３は、パチンコ機やパチスロ機などの遊技店に配設され、来客者に所定の遊技を提供するものであり、ここでは、機種の異なる複数台の遊技機から構成されている。
評価用端末４は、管理用端末２から伝送された通知用遊技機情報データなどの通信用データの送受信を、ネットワーク６を介して行うデータ送受信部４ａと、取得した遊技機情報を記憶保存する遊技機情報記憶部４ｂと、遊技機情報記憶部４ｂにおいて記憶された遊技機情報に基づき遊技機の機種毎の評価を行う遊技機評価部４ｃと、遊技機評価部４ｃにおける遊技機の評価結果をシステム利用者に提供する評価結果提供部４ｄと、を含んだ構成となっている。
【００２５】
情報提供用端末５は、各遊技機メーカ毎に用意された端末であり、それぞれのメーカ毎に、そこで製造する遊技機の情報をＷｅｂページを通じて一般に向けて提供したり、製品を販売したり、新製品の宣伝情報などをネットワーク６を介して評価用端末６に伝送したりするものである。
ネットワーク６は、インターネットなどの広域ネットワークであり、電話回線や専用回線等を通じて、様々な情報処理機器が接続されるものである。
【００２６】
更に、本システムのより具体的な動作を説明すると、まず、各遊技店において、それぞれの管理下にある管理用端末２によって、遊技機３の情報を収集する。この収集された情報は、遊技機情報収集部２ａにおいて収集管理され、所定期間（例えば、１ヶ月）、又は、所定量の情報が蓄積されると、その収集結果を、集計して遊技機情報通知部２ｂに伝送する。遊技部情報通知部２ｂでは、集計結果の遊技機情報を更に通知用のデータに変換（データの圧縮処理等を行う）して、データ送受信部２ｃに、この変換データを評価用端末４に伝送するように命令を与える。この命令に応じてデータ送受信部２ｃでは、変換データを評価用端末４にネットワーク６を介して伝送する。
【００２７】
ここで、収集される遊技機情報としては、遊技機がパチンコ機であるとすると、釘角度、客付き実績、中古販売状況、ゲーム特性、持ち玉率（追加投資なしで遊技できる時間）、連チャン性（確率変動が継続する確率）、リーチ時間、スーパーリーチ時間、再投資確率、遊技者のアンケート結果、各設定による平均台売上、週単位経営情報（割数・台粗利）、女性客割合、赤字設定などがある。
【００２８】
一方、評価用端末４は、管理用端末２から伝送された遊技機情報をデータ送受信部４ａによって受信すると、その遊技機情報を遊技機情報記憶部４ｂに伝送する。遊技機情報記憶部４ｂでは、データ送受信部４ａから取得した遊技機情報を記憶する処理を行う。そして、遊技機評価部４ｃは、遊技機情報記憶部４ｂによって記憶された遊技機情報を読み出し、その情報に基づき遊技機の機種毎の評価を行う。
【００２９】
更に、評価結果提供部４ｄは、遊技機評価部４ｃにおいて評価された結果をシステム利用者に提供する処理を行う。
ここで、本実施の形態において、評価結果は、一部の情報を除いて専用のＷｅｂページによって一般向けに無料で提供するようになっている。なお、ここで言う一部の情報とは、主に遊技店の経営者に向けた情報であり、本実施の形態において、この情報は、有償で提供される仕組みとなっており、閲覧するためには会員登録をし、会員用のＩＤとパスワードを入手して、図示しない認証部における認証処理を経て会員専用のＷｅｂページに接続する必要がある。
【００３０】
また、遊技機の評価としては、取得した遊技機情報に基づき、市場性（販売台数）、集客率、台売上順位、台粗利順位、消費電力、トラブル度数、メーカ発表数値、中古市場価格などを評価する。
また、本実施の形態において、評価結果提供部４ｄでは、管理用端末２から取得した前記遊技機情報そのものも提供するようになっている。
【００３１】
また、情報提供用端末５からは、各メーカの新製品等の製品の宣伝情報が評価用端末４に伝送されてくるので、評価結果提供部４ｄでは、この宣伝情報もＷｅｂページにおいて公開する。
更に、図２に基づき、管理用端末２の各部を制御するプログラムの処理の流れを説明する。図２は、管理用端末２の各部を制御するプログラムの処理を示すフローチャートである。
【００３２】
図２に示すように、まずステップＳ２００に移行し、遊技機情報収集部２ａにおいて、遊技店内に配設された遊技機３から得られる釘角度やリーチ時間等の情報、アンケート結果や中古市場価格等の遊技機３以外から得られる情報である遊技機情報を取得したか否かを判定し、取得したと判定された場合（Ｙｅｓ）はステップＳ２０２に移行し、そうでない場合（Ｎｏ）は取得するまで待機する。
【００３３】
ステップＳ２０２に移行した場合は、取得した遊技機情報を図示しない記憶装置に記憶してステップＳ２０４に移行する。
ステップＳ２０４では、遊技機情報収集部２ａにおいて、記憶装置に記憶蓄積された遊技機情報に基づき、各項目毎に遊技機情報を評価用端末４に通知するか否かを判定し、通知する項目があると判定された場合（Ｙｅｓ）はステップＳ２０６に移行し、そうでない場合（Ｎｏ）はステップＳ２００に移行する。つまり、遊技機３等から取得される遊技機情報は複数の項目があり、所定期間情報の蓄積された項目、又は、十分な情報量が蓄積された項目を評価用端末４に通知するための判定を行う。
【００３４】
ステップＳ２０６では、遊技機情報通知部２ｂにおいて、遊技機の機種毎に通知判定された遊技機情報を集計処理してステップＳ２０８に移行する。
ステップＳ２０８では、遊技機情報通知部２ｂにおいて、前記集計処理されたデータを圧縮処理して通知用の遊技機情報を生成し、これをデータ送受信部２ｃに伝送してステップＳ２１０に移行する。
【００３５】
ステップＳ２１０では、データ送受信部２ｃにおいて、生成された通知用遊技機情報を、評価用端末４にネットワーク６を介して伝送する処理を行いステップＳ２００に移行する。
更に、図３に基づき、評価用端末４の各部を制御するプログラムの処理の流れを説明する。図３は、評価用端末４の各部を制御するプログラムの処理の流れを示すフローチャートである。
【００３６】
図３に示すように、まずステップＳ３００に移行し、管理用端末２から遊技機情報を取得したか否かを判定し、取得したと判定された場合（Ｙｅｓ）はステップＳ３０２に移行し、そうでない場合（Ｎｏ）は取得するまで待機する。
ステップＳ３０２に移行した場合は、遊技機情報記憶部４ｂにおいて、取得した遊技機情報を記憶処理してステップＳ３０４に移行する。
【００３７】
ステップＳ３０４では、遊技機評価部４ｃにおいて、遊技機情報記憶部４ｂによって記憶された遊技機情報を読み出しステップＳ３０６に移行する。
ステップＳ３０６では、遊技機情報評価部４ｃにおいて、遊技機情報に基づき、遊技機の機種毎の評価を行いステップＳ３０８に移行する。
ここで、遊技機の評価としては、例えば、遊技機の機種毎の客付実績から集客率を判定したり、同じく機種毎の週単位経営情報（割数・台粗利）から、台粗利順位を判定したりする。なお、このときの評価において利用される遊技機の情報は、本システム１に参加する全ての遊技店から通知された情報である。
【００３８】
ステップＳ３０８では、評価結果提供部４ｄにおいて、前記評価された結果に基づき、提供用の評価データを生成してステップＳ３１０に移行する。ここでは、Ｗｅｂページによって遊技機の評価結果を提供するので、Ｗｅｂページ用のデータを生成することになる。
ステップＳ３１０では、評価結果提供部４ｄにおいて、Ｗｅｂページとして、評価結果を提供してステップＳ３００に移行する。
【００３９】
ここで、上記したように、提供する評価結果には、無料で一般公開するものと、有償で限られた利用者に提供するものとがあり、有償で提供するものに対しては、利用者の認証処理を行うようになっている。
また、情報提供用端末５から、遊技機の宣伝情報を取得したときは、Ｗｅｂページにおいて、この情報も一般公開するようになっている。但し、本実施の形態においての宣伝情報の公開は、有償で行われるものであるため、メーカ側は所定の料金を本システム１の運営者側に支払う必要がある。
【００４０】
なお、この遊技機の宣伝情報を見て、この遊技機を購入したい遊技店の経営者などのシステム利用者は、本システム１を通じてその遊技機を発注することが可能であり、メーカ側もこの発注に対する受注をすることが可能となっている。この受発注業務は、情報提供用端末５とシステム利用者の管理下にある端末（例えば、管理用端末２）との間で直接行う態様、評価用端末４が両者の間を仲介する態様など、様々な態様が考えられる。
【００４１】
更に、本実施の形態においては、本システム１に参加する各遊技店から、それらの店において不要となった中古遊技機の情報を取得し、これらの情報に基づいて、Ｗｅｂページによる中古遊技機の競売用ページを提供し、そこで、システム利用者を相手に中古遊技機の競売を行うようになっている。従って、この競売の結果から、中古遊技機の中古市場価格を評価して評価結果の一つとして提供することが可能である。
【００４２】
以上、システムに参加する全ての遊技店からの遊技機の情報に基づいて、遊技機の各機種毎の評価を行い、提供するようにしたので、システム利用者は、遊技機の機種毎の総合的な評価を得ることが可能となる。
なお、上記実施の形態においては、遊技機の評価結果の情報をＷｅｂページによって提供するようになっているが、これに限らず、利用者の所持する情報処理端末に、ネットワークを通じて電子メール等の通信手段によって提供したり、書類にして郵送で提供したり、または、電子メール等の通信手段によって提供可能な利用者にはこの方法を用い、そうでない利用者には郵送を用いるなど、これらの方法を組み合わせ方法など、どのような方法を用いて提供しても良い。
【００４３】
また、上記実施の形態においては、遊技機の機種毎の評価として、全遊技店の情報から総合的な評価を行いその評価結果を提供するようになっているが、これに限らず、遊技店毎の評価や地域毎の評価など、評価範囲を任意なものにして、その評価結果を提供するようにしても良い。
また、上記実施の形態においては、システム利用者が経営者向けの情報などある一部の評価結果の情報を閲覧する場合には、有償で閲覧できるようにしているが、遊技店の経営者など、評価結果を得るために必要な遊技機に関する情報を提供する者に対しては、前記一部の情報を閲覧する際の料金を割引するなどの特典を付すことで、遊技店側からの情報を得やすくなるような仕組みにしても良い。
【００４４】
また、上記実施の形態のおいては、遊技機としてパチンコ機を例として説明しているが、これに限らず、パチスロ機やその他遊技を提供する機器であれば、どのようなものでも適用対象とする。
【００４５】
【発明の効果】
以上説明したように、本発明によれば、メーカの違いを問わず、全国に展開された各遊技店からの遊技機に関する情報を収集し、これらの情報に基づき遊技機の評価を行うことで、遊技機の機種毎の総合的な評価を行うことが可能となり、遊技店の経営者は、この情報を得ることで新規に購入する遊技機の機種を選定し易くなる。
【００４６】
また、メーカの違いを問わず、全国に展開された各遊技店からの遊技機に関する情報を収集し、これらの情報に基づき遊技機の評価を行うことで、遊技機の機種毎の総合的な評価を行うことが可能となり、遊技店の経営者は、この情報を得ることで新規に購入する遊技機の機種を選定し易くなり、更に、遊技機の提供者である各遊技機メーカからの新台情報やメンテナンス情報等も取得できるので、これらの情報も遊技店の経営に役立たせることが可能となる。
【図面の簡単な説明】
【図１】本発明に係る遊技機評価システムの構成を示すブロック図である。
【図２】管理用端末２の各部を制御するプログラムの処理を示すフローチャートである。
【図３】評価用端末４の各部を制御するプログラムの処理の流れを示すフローチャートである。
【符号の説明】
１　　　　　　　　遊技機評価システム
２　　　　　　　　管理用端末
２ａ　　　　　　　遊技機情報収集部
２ｂ　　　　　　　遊技機情報通知部
３　　　　　　　　遊技機
４　　　　　　　　評価用端末
４ｂ　　　　　　　遊技機情報記憶部
４ｃ　　　　　　　遊技機評価部
４ｄ　　　　　　　評価結果提供部
５　　　　　　　　情報提供用端末
【図１】
2004141208.tif 000003
【図２】
2004141208.tif 000004
【図３】
2004141208.tif 000005